(57)【要約】【課題】留守番録音機能が有効状態に設定していない状態において、子機に対する着信があり該当する子機が親機との通信可能な圏内に位置しない時には、自動的に留守番録音モードに切替えて通話内容を録音できるようにする。【解決手段】親機２０は留守番録音機能を有効または無効にする留守録モード設定部２７１と、子機３０が通信圏内にあるか否かを判別する通信圏判別手段２４１と、発信元のメッセージを録音し、録音されたメッセージを再生する録音・再生ユニット２９と、を備え、留守録モード設定部２７１の設定が留守録を無効にする設定がなされている場合に、特定の子機３０に対する着信に対して、通信圏判別手段２４１が該当する子機３０が通信圏内になるか否かを判別し、該子機３０が通信圏にないと判別された場合、留守番録音機能を有効にし、録音・再生ユニット２９に発信元のメッセージを録音する。【選択図】図２
2008066820.tif 000002
【特許請求の範囲】
【請求項１】
電話回線に接続される親機と、前記親機と無線接続される子機と、から構成されるコードレス電話装置において、
前記親機は留守番録音機能を有効または無効にする留守録モード設定部と、子機が通信圏内にあるか否かを判別する通信圏判別手段と、発信元のメッセージを録音し、録音されたメッセージを再生する録音・再生ユニットと、を備え、
前記留守録モード設定部の設定が留守録を無効にする設定がなされている場合に、特定の子機に対する着信に対して、前記通信圏判別手段が該当する子機が通信圏内になるか否かを判別し、該子機が通信圏にないと判別された場合、留守番録音機能を有効にし、前記録音・再生ユニットに発信元のメッセージを録音することを特徴とするコードレス電話装置。
【請求項２】
前記コードレス電話装置の子機は留守録表示領域を有する操作・表示部を備え、前記留守録表示領域には、自子機あての録音メーセージがある場合、留守録表示を表示することを特徴とする請求項１に記載のコードレス電話装置。
【請求項３】
電話回線に接続される親機と、前記親機と無線接続される子機と、子機に対応して設けられ親機と接続されたベースステーションから構成されるコードレス電話装置において、
親機は子機が通信圏内にあるか否かを判別する通信圏判別手段を備え、
前記ベースステーョンは留守番録音機能を有効または無効にする留守録モード設定部と、発信元のメッセージを録音し、録音されたメッセージを再生する録音・再生ユニットと、を備え、
前記親機は特定の子機に対する着信に対して、前記通信圏判別手段が該当する子機が通信圏内になるか否かを判別し、該子機が通信圏にないと判別された場合、
前記該当する子機に対応したベースステーションにおいて留守録モード設定部の設定が留守録を無効にする設定がなされている場合に、前記ベースステーョンは留守番録音機能を有効にし、前記録音・再生ユニットに発信元のメッセージを録音することを特徴とするコードレス電話装置。
【請求項４】
前記ベースステーションは留守録表示領域を有する操作・表示部を備え、前記留守録表示領域には、対応する子機あての録音メーセージがある場合、留守録表示を表示することを特徴とする請求項３に記載のコードレス電話装置。
【請求項５】
前記コードレス電話装置は複数の子機を備え、親機と前記複数の子機にはそれぞれ特定の異なる電話番号が割り当てられ、任意の子機には携帯電話に対する電話番号が割り当てられていることを特徴とする請求項１または請求項３に記載のコードレス電話装置。
【発明の詳細な説明】
【技術分野】
【０００１】
本発明は、着信時に親機または子機が応答できない時に通話内容を録音して保存する留守番録音機能を有するコードレス電話機あるいはコードレス電話機能を備えたファクシミリ装置等のコードレス電話装置に関するものであり、特に、留守番録音機能が有効状態に設定していない状態において、子機に対する着信があり該当する子機が親機との通信可能な圏内に位置するか否かを判定し、その子機が通信圏外に位置する時には、自動的に留守番録音モードに切替えて通話内容を録音して保存するようにしたコードレス電話装置に関するものである。
【背景技術】
【０００２】
従来からオフィスや家庭において、公衆回線網に接続される加入電話のような固定電話装置の他、無線通信機能により結ばれる親機と１台又は複数台の子機からなるコードレス電話機が広く使用されている。また、近年では親機にファクシミリ機能を備えたコードレス電話装置も普及している。
【０００３】
最近ではアナログのコードレス電話機に代わるものとしてデジタルコードレス電話機、デジタルコードレス電話システムが提供されておいる。デジタルコードレス電話システムは、一般には、パーソナルハンディフォン（ＰＨＳ）と言われるものであり、このようなデジタルコードレス電話機は、家庭や事務所に設置している親機や、屋外に設置されている公衆基地局と通信する自営モード・公衆モードがあるが、これ以外に子機同士でトランシーバのように直接通信する子機間通信モードがある。
【０００４】
また、近年はインターネットを用いたデータ通信を利用して音声信号を伝送する、ＩＰ電話システムも広く利用されており、ＩＰ電話システムの端末装置（電話端末）として、アナログあるいはデジタルのコードレス電話装置を用いることも行われている。
【０００５】
デジタルコードレス電話機システムは、主装置（交換機）と、複数の親機と、さらに複数の子機とからなり、主装置（交換機）は、公衆電話回線網と接続し且つＩＳＤＮ回線で複数の親機と接続し、各親機は同一周波数Ｆ１を用いて送信と受信とを時間的に異ならせて子機との通信を行い、また、親機を介さず直接子機間で通信を行うこともできる。
【０００６】
このようなコードレス電話装置においては、親機から子機を呼び出す場合、特定の子機を指定して呼び出す子機指定呼出しと、全ての子機を一斉に呼び出す内線一斉呼出しとを、ボタン操作により選択できるようになっている。そして、子機指定呼出しと内線一斉呼出しは、例えば、外部から着信した電話を指定された人に転送する場合、その人が居る場所が分かっているときは、子機指定呼出し機能を使って、その場所にある子機だけを呼出し、その人がどこに居るのか分からないときは、内線一斉呼出し機能を使って全ての子機を一斉に呼び出すというように使い分けることができる。
【０００７】
また、一般的に通常の固定電話装置において、利用者が不在で着信に応答できない場合のために、発信元の通話音声を録音、保存しておき、後で利用者が録音された通話内容を再生して用件を確認できるようにした留守番録音機能（留守録機能）が提供されている。前述のような各種のコードレス電話装置においても、着信があった場合に親機または子機が応答できない時に通話内容を録音して保存する留守番録音機能が提供されているのが一般的である。ＩＰ電話システムに用いられるコードレス電話装置においても同様である。
【０００８】
このような留守録音機能を備えたコードレス電話装置は、例えば、下記の特許文献１（特開平８−３３１２６１号公報）に開示されている。この特許文献１に開示されたコードレス電話装置は、留守番録音機能を有効にする設定がされた状態で、特定の子機に着信があった場合、親機は該当する子機に発信を行い、子機から応答がなかった時に親機から留守メッセージを発信元に送信し、発信元の通話（メッセージ）を録音して保存するように構成したものである。
【特許文献１】特開平８−３３１２６１号公報（図１、図２）
【発明の開示】
【発明が解決しようとする課題】
【０００９】
前述したコードレス電話装置においては、親機および子機のそれぞれに特定の電話番号を割り当てることができる。特定の子機の電話番号に着信があった場合、親機は該当する電話番号の子機を呼び出して着信させる。上記特許文献１に記載されたコードレス電話装置のように、コードレス電話装置に留守番録音機能があり、親機において留守番録音機能を有効にする設定がなされていれば、呼び出した子機が応答できない場合であっても、発信元のメッセージを録音しておけば、子機の利用者は後でこのメッセージを呼び出して再生することができる。
【００１０】
しかしながら、上記特許文献１に開示されたコードレス電話装置では、親機において留守番録音機能を有効にする設定がなされていない状態で前述のように特定の子機の電話番号に着信があり、該当する子機を呼び出した際に、その子機が応答できない時には着信接続できず、また、留守番録音機能が設定されていないから、発信元のメッセージを録音することもできず、発信元の用件後で確認することができないという問題点があった。
【００１１】
本願の発明者は上記の問題点を解消すべく種々検討を重ねた結果、留守番録音機能を有するコードレス電話装置において、親機が留守番録音機能を有効に設定していない状態で子機に対する着信があった場合、親機に子機が通信圏内にあるか否かを判別する通信圏判別手段を備え、子機が通信圏外にあると判別された場合には留守番録音機能を有効にして発信元のメッセージを録音するようになせば上記問題点を解消し得ることに想到して本発明を完成するに至ったものである。
【００１２】
すなわち、本発明は上記の問題点を解消することを課題とし、留守番録音機能が有効状態に設定していない状態において、子機に対する着信があり該当する子機が親機との通信可能な圏内に位置しない時には、自動的に留守番録音モードに切替えて通話内容を録音できるコードレス電話装置を提供することを目的とするものである。
【課題を解決するための手段】
【００１３】
前記課題を解決するために、本願の請求項１にかかる発明は、
電話回線に接続される親機と、前記親機と無線接続される子機と、から構成されるコードレス電話装置において、
前記親機は留守番録音機能を有効または無効にする留守録モード設定部と、子機が通信圏内にあるか否かを判別する通信圏判別手段と、発信元のメッセージを録音し、録音されたメッセージを再生する録音・再生ユニットと、を備え、
前記留守録モード設定部の設定が留守録を無効にする設定がなされている場合に、特定の子機に対する着信に対して、前記通信圏判別手段が該当する子機が通信圏内になるか否かを判別し、該子機が通信圏にないと判別された場合、留守番録音機能を有効にし、前記録音・再生ユニットに発信元のメッセージを録音することを特徴とする。
【００１４】
本願の請求項２にかかる発明は、請求項１にかかるコードレス電話装置において、子機は留守録表示領域を有する操作・表示部を備え、前記留守録表示領域には、自子機あての録音メーセージがある場合、留守録表示を表示することを特徴とする。
【００１５】
また、本願の請求項３にかかる発明は、
電話回線に接続される親機と、前記親機と無線接続される子機と、子機に対応して設けられ親機と接続されたベースステーションから構成されるコードレス電話装置において、
親機は子機が通信圏内にあるか否かを判別する通信圏判別手段を備え、
前記ベースステーョンは留守番録音機能を有効または無効にする留守録モード設定部と、発信元のメッセージを録音し、録音されたメッセージを再生する録音・再生ユニットと、を備え、
前記親機は特定の子機に対する着信に対して、前記通信圏判別手段が該当する子機が通信圏内になるか否かを判別し、該子機が通信圏にないと判別された場合、
前記該当する子機に対応したベースステーションにおいて留守録モード設定部の設定が留守録を無効にする設定がなされている場合に、前記ベースステーョンは留守番録音機能を有効にし、前記録音・再生ユニットに発信元のメッセージを録音することを特徴とする。
【００１６】
本願の請求項４にかかる発明は、請求項３にかかるコードレス電話装置において、前記ベースステーションは留守録表示領域を有する操作・表示部を備え、前記留守録表示領域には、対応する子機あての録音メーセージがある場合、留守録表示を表示することを特徴とする。
【００１７】
また、本願の請求項５にかかる発明は、請求項１または請求項３にかかるコードレス電話装置において、前記コードレス電話装置は複数の子機を備え、親機と前記複数の子機にはそれぞれ特定の異なる電話番号が割り当てられ、任意の子機には携帯電話に対する電話番号が割り当てられていることを特徴とする。
【発明の効果】
【００１８】
本発明によれば、以下のような有用な効果を奏することができる。すなわち、請求項１、請求項３にかかる発明においては、親機は、留守録モード設定部の設定が留守録を無効にする設定がなされている場合に、特定の子機に対する着信に対して、通信圏判別手段が該当する子機が通信圏内になるか否かを判別し、該子機が通信圏にないと判別された場合、留守番録音機能を有効にし、前記録音・再生ユニットに発信元のメッセージを録音するものであるから、留守録モードが設定されていない状態で子機に対する着信があり、その子機が通信圏外にあって応答できない時、発信元のメッセージを留守番録音することができるようになる。また、子機を携帯して外出する場合にその都度、留守番録音モードに設定しなくてもよくなる。
【００１９】
また、請求項２、請求項４にかかる発明においては、それぞれ請求項１、請求項３にかかる発明において、子機に対する留守録のメッセージが保存されている場合、留守録表示がなされるため、該当する子機の利用者が外出から戻った時点ですぐに気がつくことができるようになる。
【００２０】
また、請求項５にかかる発明においては、請求項１または請求項３にかかる発明において、コードレス電話装置は複数の子機を備え、親機と前記複数の子機にはそれぞれ特定の異なる電話番号が割り当てられ、任意の子機には携帯電話に対する電話番号が割り当てられている。従って、留守録モードが設定されていない状態で携帯電話に対する電話番号が割り当てられた子機を含む特定の子機に対する着信があり、その子機が通信圏外にあって応答できない時、発信元のメッセージを留守番録音することができるようになる。
【発明を実施するための最良の形態】
【００２１】
以下、本発明の具体例を実施例及び図面を用いて詳細に説明する。但し、以下に示す実施例は、本発明の技術思想を具体化するためのコードレス電話装置を例示するものであって、本発明をこのコードレス電話装置に特定することを意図するものではなく、特許請求の範囲に含まれるその他の実施形態のコードレス電話装置にも等しく適用し得るものである。
【実施例１】
【００２２】
図１は、本発明の実施例１にかかるコードレス電話装置１０の外観を示す図である。以下の実施例１においては、コードレス電話装置１０において、留守番録音機能の設定有無と特定の子機に対する着信があった場合の動作について説明する。
【００２３】
コードレス電話装置１０は親機２０と子機３０とが無線で接続された構成となっており、子機３０から親機２０を介して通話の受信、発信が行えるようになっている。このコードレス電話装置１０はアナログコードレス電話装置、デジタルコードレス電話装置の何れであってもよく、また、ＩＰ電話システムの端末装置であってもよい。
【００２４】
また、コードレス電話装置１０には複数の子機３０を備えることができ、また親機２０と子機３０にはそれぞれ特定の電話番号を割り当てることができる。また、子機３０の何れかを携帯電話専用に割り当てることもできる。以下の説明においては、例えば、家庭に設置するＩＰ電話機として２台の子機３０を備えたコードレス電話装置１０において、以下のように電話番号を割り当ててあるものとする。
【００２５】
親機２０電話番号・・・・・・・０５０１２３４０００１
子機３０（１）電話番号・・・・０５０１２３４０００２
子機３０（２）電話番号・・・・０５０１２３４０００３
親機２０には着信時に、留守していて親機２０または子機３０で応答ができない場合に、発信元に留守メーセージを伝え、発信元の伝言（メッセージ）を録音する、いわゆる留守録の機能が備えられている。
【００２６】
親機２０は、図２のブロック図に示すように、電話回線制御部２１、音声信号処理部２２、無線部２３、制御部２４、マイク・スピーカ部２５、操作・表示部２６、メモリ２７、アンテナ２８を備えて構成されている。制御部２４はマイクロプロセッサからなる制御回路であり、図示していないＲＯＭ、ＲＡＭを備えている。ＲＯＭには各部動作を制御するプログラムを記憶しており、制御部２４が通話時間の計時、通話料金の算出を行えるプログラムなども書き込まれている。ＲＡＭには制御部２４の動作に必要な情報を記憶する。
【００２７】
電話回線制御部２１は公衆回線Ｎからの着信、公衆回線Ｎへの発信を制御するものであり、着信検出、ダイアルトーン検出などを行う。音声信号処理部２２は受話音声信号を処理してマイク・スピーカ部２５を介して出力し、あるいは、マイク・スピーカ部２５を介して入力された送話音声を処理して音声信号に変換して送出する。無線部２３はアンテナ２８を介して子機３０との間で発信信号、着信信号、送話音声信号、受信音声信号を通信する。
【００２８】
操作・表示部２６は、ディスプレイ、機能キー、数字キーなどから構成され、数字キーは発信の際の電話番号入力に用いられ、機能キーは種々の機能を選択したり設定したりするために用いられる。すなわち、機能キーを操作してディスプレイに所望の機能設定画面を表示してコードレス電話装置１０の種々の機能設定をしたり、通信キャリアが提供する種々のサービス機能のオン・オフの設定をしたりすることができる。例えば、ナンバーディスプレイサービスやキャッチホンディスプレイサービス、ネームディスプレイサービスなどのオン・オフの設定ができる。
【００２９】
メモリ２７にはコードレス電話装置の各種機能の設定状況や、上記のナンバーディスプレイ関連サービスの設定状況などが記憶される他、ユーザが入力する電話帳、短縮ダイヤルの登録情報を記憶することができる。また、着信音切り替え機能を使用する場合には、着信音切り替え設定情報が記憶される。着信音切り替え設定情報はユーザが操作・表示部２６から入力するものであり、ユーザによって入力された着信電話番号と着信音の種別が関係付けられ、設定情報として記憶されるとともに、各着信音の音源データが記憶される。音源データは、各種リムーバブル記録媒体から入力したり、他の機器で再生した音源データを録音して入力したりすることができる。
【００３０】
本発明において、親機２０にはテープレコーダのような録音・再生ユニット２９が設けられ、通話の相手方の音声（メッセージ）を録音し、録音したメッセージを再生することができる。この録音・再生ユニット２９は、留守録モード（留守番録音機能を有効にする設定）が設定されている時に動作する。このためメモリ２７には留守録モード設定部２７１がもうけられ、操作・表示部２６を用いて留守録モードが設定されるとメモリ２７の留守録設定部２７１にその状態がほう記憶される。通常このようなモード設定は、フラグビットを「１」または「０」のデータを書き込むことで行われる。
【００３１】
なお、複数コードレス電話装置１０がデジタルコードレス電話である場合、録音・再生ユニットはデジタル音声信号を記録、読み出しできるメモリユニットを用いることができる。また、子機３０が複数備えられている場合にはメモリユニットの領域を各子機対応に区分しておくことで各子機に対するメッセージを区分して保存することができる。
【００３２】
また、親機２０において制御部２４は通信圏判別手段２４１を備えており、親機２０が子機３０を呼び出した際に、通信圏判別手段２４１は、該当する子機３０が親機２０と無線通信可能な通信圏内にあるか否かを判別する。子機３０が通信圏内にあり親機２０からの呼出し信号に対する応答信号を送信し、親機２０がこれを受信したならば子機３０に着信を接続する。
【００３３】
親機２０において留守録モードが設定されている場合、親機２０または子機３０（１）や子機３０（２）の電話番号に着信があり、該当する電話機で応答できない場合には、回線接続して発信元に留守メセッージが送られる。発信元が通話においてメッセージを発音すると録音・再生ユニット２９にそのメッセージが録音される。
【００３４】
一方、親機２０において留守録モードが設定されていない場合、特定の子機３０、例えば子機３０（２）に対する着信があった場合、子機３０（２）が通信圏外にあり応答できないと、留守番録音機能が働かず、発信元のメッセージを残すことができない。そこで、本発明においては通信圏判別手段２４１によって子機３０（２）が通信圏内にないことを判別すると、自動的に留守録モードを設定し、回線接続して親機２０は発信元に留守メセッージを送り、発信元からメッセージが送られると録音・再生ユニット２９にそのメッセージを録音する。
【００３５】
子機３０は、図３のブロック図に示されるように、音声信号処理部３２、無線部３３、制御部３４、マイク・スピーカ部３５、操作・表示部３６、メモリ３７、アンテナ３８を備えて構成されている。制御部３４はマイクロプロセッサからなる制御回路であり、図示していないＲＯＭ、ＲＡＭを備えている。ＲＯＭには各部動作を制御するプログラムを記憶しており、制御部３４が親機２０と通信するためのプログラムなども書き込まれている。ＲＡＭには制御部３４の動作に必要な情報を記憶する。
【００３６】
音声信号処理部３２は受話音声信号を処理してマイク・スピーカ部３５を介して出力し、あるいは、マイク・スピーカ部３５を介して入力された送話音声を処理して音声信号に変換して送出する。無線部３３はアンテナ３８を介して親機２０との間で発信信号、送話音声信号、受信音声信号を通信する。
【００３７】
操作・表示部３６は、ディスプレイ、機能キー、数字キーなどから構成され、数字キーは発信の際の電話番号入力に用いられ、機能キーは種々の機能を選択したり設定したりするために用いられる。すなわち、機能キーを操作してディスプレイに所望の機能設定画面を表示して子機３０の種々の機能設定をすることができる。操作・表示部３６には子機３０に対する留守番録音が親機２０の録音・再生ユニット２９に残されているか否かを表示し、再生を要求する確認ボタンを表示する留守録表示領域３６１が設けられている。従って、子機３０の利用者は領域３６１に留守録表示があれば確認ボタンを操作して、録音・再生ユニット２９に録音されているメッセージを再生して聞くことができる。
【００３８】
メモリ３７には子機３０の各種機能の設定状況が記憶される他、ユーザが入力する電話帳、短縮ダイヤルの登録情報を記憶することができる。また、着信音切り替え機能を使用する場合には、子機３０側で直接着信音を再生出力できるように音源データが記憶される。この音源データには、親機２０から着信信号とともに送信される識別符号が対応付けられて記憶される。各着信音の音源データは、各種リムーバブル記録媒体から入力したり、他の機器で再生した音源データを録音して入力したりすることができる。
【００３９】
図４は、以上説明した本発明の実施例にかかるコードレス電話装置１０の親機２０における動作手順を示すフローチャートである。図４のフローチャートにおいて、親機２０の留守録モードは設定されていないものとする。ステップＳ１０の処理において親機２０は子機３０への着信を検出すると、親機２０はステップＳ１１の処理において該当する子機３０に呼出し信号を送出する。
【００４０】
そして、ステップＳ１２の処理において、通信圏判別手段２４１は呼び出した子機３０が通信圏内にあるか否かを判別する。子機３０が通信圏内にあれば、ステップＳ１３の処理に進み、親機２は該当する子機３０に接続し、ステップＳ１４の処理において発信元との通話が開始される。ステップＳ１５の処理において通話の終了判定が行われ、通話が終了していなければステップＳ１５の処理を繰り返し、通話の終了が判定されればステップＳ１６の処理において回線を切断して処理を終了する。
【００４１】
一方、ステップＳ１２の判別処理において子機３０が通信圏内にない（圏外）と判別された場合、親機２０はステップＳ１７の処理に進み、留守録モードを設定し、ステップＳ１８の処理において発信元が発音したメッセージを録音・再生手段ユニット２９に録音する。ステップＳ１９の処理において通話の終了判定が行われ、通話が終了していなければステップＳ１９の処理を繰り返し、通話の終了が判定されればステップＳ１６の処理において回線を切断して処理を終了する。
【実施例２】
【００４２】
上記実施例１はコードレス電話装置１０が親機２０と子機３０とで構成された例を説明したが、本発明はこの構成に限られるものではなく、親機２０と子機３０との間に設けたベースステーションを有する構成であってもよい。ベースステーションは例えば、子機３０の充電器を兼ねたものであってもよく、子機３０がベースステーョンに置かれていない状態で親機２０から子機３０への各種送信情報を保存したり、表示したりするものである。
【００４３】
このようなベースステーションを備えたコードレス電話装置１０の場合、実施例１において親機２０に備えられていた留守録モード設定部２７１、録音・再生ユニット２９をそれぞれの子機３０に対応したベースステーションに設けることもできる。また、子機３０の操作・表示部３６に設けられた留守録表示領域３６１に相当する表示部を子機３０に対応したベースステーションに設けることができる。
【００４４】
以上、説明したように本発明の留守番録音機能を有するコードレス電話装置１０によれば、親機２０が留守録モードを設定していない状態で特定の子機３０に対する着信があり、その子機３０が通信圏外にある場合であっても、親機２０が留守録モードに設定し、発信元のメッセージを録音することができる。なお、親機２０が設定する留守録モードは当該子機への着信以後も継続して有効にしてもよく、当該子機への着信に対してのみ一時的に有効とするようにしてもよい。
【図面の簡単な説明】
【００４５】
【図１】本発明の実施例１にかかるコードレス電話装置の外観を示す図である。
【図２】本発明の実施例１にかかる親機の構成を示すブロック図、
【図３】本発明の実施例１にかかる子機の構成を示すブロック図である。
【図４】本発明の実施例１にかかる親機の動作手順を示すフローチャートである。
【符号の説明】
【００４６】
１０・・・・コードレス電話装置
２０・・・・親機
２１・・・・電話回線制御部
２２・・・・音声信号処理部
２３・・・・無線部
２４・・・・制御部
２４１・・・通信圏判別手段
２５・・・・マイク・スピーカ部
２６・・・・操作・表示部
２７・・・・メモリ
２７１・・・留守録モード設定部
２８・・・・アンテナ
２９・・・・録音・再生ユニット
３０・・・・子機
３２・・・・音声信号処理部
３３・・・・無線部
３４・・・・制御部
３５・・・・マイク・スピーカ部
３６・・・・操作・表示部
３６１・・・留守録表示領域
３７・・・・メモリ
３８・・・・アンテナ
Ｎ・・・・・公衆回線
【図１】
2008066820.tif 000003
【図２】
2008066820.tif 000004
【図３】
2008066820.tif 000005
【図４】
2008066820.tif 000006